(57)【要約】      （修正有）【課題】プレフィルドシリンジの密封性の検査を効率良くかつ高精度に行うことができる気密性試験方法を提供する。【解決手段】プレフィルドシリンジ１０は、外筒１１と、外筒１１に挿入されたプランジャ１２と、プランジャ１２の先端に設けられ外筒１１の内周に気密に接するガスケット１３とを備えている。ガスケット１３と外筒１１の先端部との間の薬液収容空間１６に薬液１７が充填されている。準備工程では、プランジャ１２を外筒１１から離す方向に移動させることにより、薬液収容空間１６を広げ、負圧の非充填空間部１６ａを形成する。このプランジャ１２を、規制治具２０（移動規制手段）により外筒１１に対して移動不能にして所定位置に維持する。気密性試験工程では、プレフィルドシリンジ１０をワークカプセル内で密封してテスト圧を付与し、ワークカプセル内の圧力変化に基づいて、プレフィルドシリンジ１０の漏れを検出する。【選択図】図１
2020074834.tif 000002
【特許請求の範囲】
【請求項１】
外筒と、上記外筒に挿入されたプランジャと、上記プランジャの先端に設けられ上記外筒の内周に気密に接するガスケットとを備え、上記ガスケットと上記外筒の先端部との間の薬液収容空間に薬液が充填されているプレフィルドシリンジの気密性を試験する方法において、
気密性試験工程に先立つ準備工程において、上記プレフィルドシリンジの上記プランジャを、移動規制手段により上記外筒に対して移動不能にして所定位置に維持し、
上記気密性試験工程では、上記プレフィルドシリンジをワークカプセル内で密封してテスト圧を付与し、このワークカプセル内の圧力変化に基づいて、上記プレフィルドシリンジの漏れを検出することを特徴とするプレフィルドシリンジの気密性試験方法。
【請求項２】
上記準備工程において、上記プランジャを上記外筒から離す方向に移動させることにより上記薬液収容空間を広げて負圧にし、上記移動規制手段により、少なくとも上記プランジャが上記外筒に向かう方向に移動するのを禁じることを特徴とする請求項１に記載のプレフィルドシリンジの気密性試験方法。
【請求項３】
上記移動規制手段は、上記外筒の基端に形成された鍔部と上記プランジャの基端に形成された押圧部との間に挿入される規制治具により構成され、
上記規制治具は、上記鍔部と上記押圧部の互いに対向する面を係止する第１、第２の係止面を有することを特徴とする請求項２に記載のプレフィルドシリンジの気密性試験方法。
【請求項４】
上記気密性試験工程におけるテスト圧が正圧であることを特徴とする請求項２または３に記載のプレフィルドシリンジの気密性試験方法。
【請求項５】
上記プレフィルドシリンジの上記薬液収容空間には薬液が１００％充填されており、上記プランジャを上記外筒から離す方向に移動させることにより、上記薬液収容空間に、薬液が充填されない負圧の非充填空間部を形成することを特徴とする請求項２〜４のいずれかに記載のプレフィルドシリンジの気密性試験方法。
【請求項６】
上記プレフィルドシリンジの上記薬液収容空間には、薬液が充填されない非充填空間部が存在しており、
上記準備工程において、上記プランジャを上記外筒から離す方向に移動させることにより、上記薬液収容空間の上記非充填空間部を広げて負圧にすることを特徴とする請求項２〜４のいずれかに記載のプレフィルドシリンジの気密性試験方法。
【請求項７】
上記プレフィルドシリンジの上記薬液収容空間には、薬液が充填されない非充填空間部が存在しており、
上記準備工程において、上記プランジャを上記外筒に向かって移動させることにより上記薬液収容空間の上記非充填空間部を狭めて正圧にし、上記移動規制手段により、少なくとも上記プランジャが上記外筒から離れる方向に移動するのを禁じることを特徴とする請求項１に記載のプレフィルドシリンジの気密性試験方法。
【請求項８】
上記移動規制手段は規制治具により構成され、この規制治具は、上記外筒の基端に形成された鍔部と上記プランジャの基端に形成された押圧部の互いに逆を向く面を係止する第１、第２の係止面を有することを特徴とする請求項７に記載のプレフィルドシリンジの気密性試験方法。
【請求項９】
上記気密性試験工程におけるテスト圧が負圧であることを特徴とする請求項７または８に記載のプレフィルドシリンジの気密性試験方法。
【請求項１０】
上記プレフィルドシリンジの上記薬液収容空間には、薬液が充填されない非充填空間部が存在しており、
上記準備工程において、上記プレフィルドシリンジの自然状態における上記プランジャの上記外筒に対する位置を、そのまま上記移動規制手段により維持し、
上記移動規制手段は上記プランジャの移動を、上記外筒に向かう方向と離れる方向の両方向において禁じることを特徴とする請求項１に記載のプレフィルドシリンジの気密性試験方法。
【発明の詳細な説明】
【技術分野】
【０００１】
本発明は、予め薬液を充填した注射器、すなわちプレフィルドシリンジの欠陥を検出するための気密性試験方法に関する。
【背景技術】
【０００２】
医療の現場での作業軽減と調剤時の事故を防ぐため、近年、調剤された薬液を予め充填した注射器（プレフィルドシリンジ）に対する需要が急増している。
【０００３】
上記プレフィルドシリンジの場合、薬液が事前に充填されているので、注射器の気密性が低いと、薬液の劣化、空気の混入等の不都合が生じる可能性がある。そのため、注射器の気密性が厳しく求められる。
【０００４】
特許文献１では、プレフィルドシリンジの外筒とガスケットとの間の密封性や、外筒の針装着部と密封キャップとの間の密封性を、電磁波を用いて確認している。
【先行技術文献】
【特許文献】
【０００５】
【特許文献１】特開２０１３−２５２１７７号公報
【発明の概要】
【発明が解決しようとする課題】
【０００６】
特許文献１では、プレフィルドシリンジの選択された箇所のみの密封性を確認することができるが、薬液が収容された空間全体の気密性を確認することはできない。また、確認箇所が複数にわたると検査に手間がかかる。
【課題を解決するための手段】
【０００７】
本発明は上記課題を解決するためになされたものであり、外筒と、上記外筒に挿入されたプランジャと、上記プランジャの先端に設けられ上記外筒の内周に気密に接するガスケットとを備え、上記ガスケットと上記外筒の先端部との間の薬液収容空間に薬液が充填されているプレフィルドシリンジの気密性を試験する方法において、
気密性試験工程に先立つ準備工程において、上記プレフィルドシリンジの上記プランジャを、移動規制手段により上記外筒に対して移動不能にして所定位置に維持し、
上記気密性試験工程では、上記プレフィルドシリンジをワークカプセル内で密封してテスト圧を付与し、このワークカプセル内の圧力変化に基づいて、上記プレフィルドシリンジの漏れを検出することを特徴とする。
【０００８】
上記方法によれば、プレフィルドシリンジをワークカプセル内で密封してテスト圧の変化に基づき漏れを検出でき、薬液収容空間の気密性を１回の試験で確認することができ、検査作業の品質と効率を高めることができる。
また、気密性試験工程において、プランジャが外筒に対して移動不能であるので、テスト圧付与時に薬液収容空間の体積は変化せず、薬液収容空間に漏れがある場合にはこの漏れに対応してワークカプセル内の圧力変化を生じさせることができるので、確実に漏れを検出することができる。
【０００９】
一態様では、上記準備工程において、上記プランジャを上記外筒から離す方向に移動させることにより上記薬液収容空間を広げて負圧にし、上記移動規制手段により、少なくとも上記プランジャが上記外筒に向かう方向に移動するのを禁じる。
【００１０】
上記一態様において好ましくは、上記移動規制手段は、上記外筒の基端に形成された鍔部と上記プランジャの基端に形成された押圧部との間に挿入される規制治具により構成され、上記規制治具は、上記鍔部と上記押圧部の互いに対向する面を係止する第１、第２の係止面を有する。
上記一態様では、薬液収容空間の負圧によりプランジャは外筒に向かう力を受けるので、規制治具はこの方向の移動を禁じれば足り、構成を簡略化することができる。
【００１１】
上記一態様において好ましくは、上記気密性試験工程におけるテスト圧が正圧である。
これによれば、テスト圧の正圧と薬液収容空間の負圧により、大きな圧力差で漏れを確実に生じさせることができ、高精度の漏れ検査を行なうことができる。
【００１２】
上記一態様において、上記プレフィルドシリンジの上記薬液収容空間には薬液が１００％充填されており、上記プランジャを上記外筒から離す方向に移動させることにより、上記薬液収容空間に、薬液が充填されない負圧の非充填空間部を形成する。
薬液収容空間に薬液が１００％充填されていても、プランジャを外筒から離す方向に移動させて負圧の非充填空間部を形成することにより、気密性試験が可能となる。
【００１３】
上記一態様において、上記プレフィルドシリンジの上記薬液収容空間には、薬液が充填されない非充填空間部が存在しており、上記準備工程において、上記プランジャを上記外筒から離す方向に移動させることにより、上記薬液収容空間の上記非充填空間部を広げて負圧にする。
【００１４】
他の態様では、上記プレフィルドシリンジの上記薬液収容空間には、薬液が充填されない非充填空間部が存在しており、上記準備工程において、上記プランジャを上記外筒に向かって移動させることにより上記薬液収容空間の上記非充填空間部を狭めて正圧にし、上記移動規制手段により、少なくとも上記プランジャが上記外筒から離れる方向に移動するのを禁じる。
【００１５】
上記他の態様では、上記移動規制手段は規制治具により構成され、この規制治具は、上記外筒の基端に形成された鍔部と上記プランジャの基端に形成された押圧部の互いに逆を向く面を係止する第１、第２の係止面を有する。
上記他の態様では、薬液収容空間の正圧によりプランジャは外筒から離れる方向の力を受けるので、規制治具はこの方向の移動を禁じれば足り、構成を簡略化することができる。
【００１６】
上記他の態様において好ましくは、上記気密性試験工程におけるテスト圧が負圧である。
テスト圧の負圧と薬液収容空間の正圧により、大きな圧力差で漏れを確実に生じさせることができ、高精度の漏れ検査を行なうことができる。
【００１７】
更に他の態様では、上記プレフィルドシリンジの上記薬液収容空間には、薬液が充填されない非充填空間部が存在しており、上記準備工程において、上記プレフィルドシリンジの自然状態における上記プランジャの上記外筒に対する位置を、そのまま上記移動規制手段により維持し、上記移動規制手段は上記プランジャの移動を、上記外筒に向かう方向と離れる方向の両方向において禁じる。
【発明の効果】
【００１８】
本発明によれば、プレフィルドシリンジの気密性の検査を効率良くかつ高精度に行うことができる。
【図面の簡単な説明】
【００１９】
【図１】本発明の一実施形態に係る気密性試験方法において、気密性試験工程前の準備工程を順に説明するプレフィルドシリンジの概略縦断面図であり、（Ａ）はプレフィルドシリンジの自然状態、（Ｂ）はプレフィルドシリンジのプランジャを引いて薬液収容空間に負圧の非充填空間部を形成した状態、（Ｃ）は規制治具を用いてプランジャを位置固定した状態、をそれぞれ示す。
【図２】（Ａ）、（Ｂ）は上記準備工程で用いられる規制治具の異なる例をそれぞれ示す横断面図である。
【図３】上記準備工程を終えたプレフィルドシリンジに対して気密性試験工程を実行するための気密性試験装置の回路構成図である。
【図４】本発明の他の実施形態に係る気密性試験方法において、気密性試験工程前の準備工程を順に説明するプレフィルドシリンジの概略縦断面図であり、（Ａ）はプレフィルドシリンジの自然状態、（Ｂ）はプレフィルドシリンジのプランジャを押し込んで薬液収容空間の非充填空間部を正圧にした状態、（Ｃ）は規制治具を用いてプランジャを位置固定した状態、をそれぞれ示す。
【図５】本発明のさらに他の実施形態に係る気密性試験方法において、気密性試験工程前の準備工程を説明するプレフィルドシリンジの概略縦断面図である。
【図６】図５のプレフィルドシリンジの気密性試験工程で用いられる気密性試験装置の回路構成図である。
【発明を実施するための形態】
【００２０】
以下、本発明の一実施形態に係るプレフィルドシリンジの気密性試験方法について、図１〜図３を参照しながら説明する。
最初に、本実施形態でテスト対象となるプレフィルドシリンジ１０について、図１（Ａ）を参照しながら説明する。なお、図１（Ａ）は、概略的に示す縦断面図であり、理解を容易にするために各構成要素を誇張して示しており、実際の寸法、形状とは異なっている。
【００２１】
プレフィルドシリンジ１０は、主構成要素として、外筒１１と、プランジャ１２と、ガスケット１３と、を備えている。
外筒１１の基端には径方向外側に張り出す環状の鍔部１１ａが形成されており、先端には針装着部１１ｂが形成されている。
針装着部１１ｂには針１４が装着されており、この針１４の先端は、針装着部１１ｂに取り付けられたゴム製のキャップ１５に差し込まれて、密封されている。
なお、プレフィルドシリンジ１０が針を装着しないタイプ（医療現場で針を装着するタイプ）の場合には、針装着部１１ｂに他の密封キャップが装着され、針装着部１１ｂの開口を塞いでいる。
【００２２】
プランジャ１２は、外筒１１と同軸をなして外筒１１に挿入されている。プランジャ１２の基端には大径の押圧部１２ａが形成されており、その先端にはガスケット１３が固定されている。
【００２３】
ガスケット１３は、外筒１１内周に気密に接合され軸方向に移動可能である。ガスケット１２と外筒１１の先端部との間の密閉された空間が、薬液収容空間１６として提供されている。この薬液収容空間１６に薬液１７が充填されている。本実施形態では、薬液収容空間１６に薬液１７が１００％満たされている。
【００２４】
<準備工程>
気密性試験工程の前に実行される準備工程について説明する。図１（Ｂ）に示すように、上記構成をなすプレフィルドシリンジ１０のプランジャ１２を引く（外筒１１から離れる方向に移動させる）ことにより、薬液収容空間１６に、薬剤１７が充填されない負圧の非充填空間部１６ａが形成される。なお、図１（Ｂ）ではプランジャ１２の移動量を誇張して示している。
【００２５】
次に、図１（Ｃ）に示すように、外筒１１の鍔部１１ａと、プランジャ１２の押圧部１２ａとの間に規制治具２０（移動規制手段）を差し込む。この規制治具２０は、図２（Ａ）に示すように断面Ｃ字形をなしていてプランジャ１２の横から挿入することができる。
規制治具２０の軸方向両端面は、上記外筒１１の鍔部１１ａとプランジャ１２の押圧部１２ａの互いの対向面にそれぞれ係止される第１係止面２１，第２係止面２２として提供される。この規制治具２０により、プランジャ１２は、非充填空間１６ａの負圧により引き込まれて元の位置に戻るのを禁じられ、所定位置（押圧部１２ａが外筒１１の鍔部１１ａから規制治具２０の軸方向寸法だけ離れた位置）で維持される。
【００２６】
なお、この規制治具２０の形態は種々採用可能であり、例えば図２（Ｂ）に示す規制治具２５のように、断面半円弧形状の半割体２５ａの一端をヒンジ２５ｂで連結し、他端をクランプ２５ｃにより着脱可能に連結する構成であってもよい。
【００２７】
<気密性試験工程>
上記の準備工程で作製した規制治具２０付きのプレフィルドシリンジ１０を、気密性試験する。この気密性試験工程で用いられる装置５０の一例を図３に示す。
この気密性試験装置５０は公知のものであり、共通通路５１と、この共通通路５１の下流端にそれぞれ接続された分岐通路５２ａおよび分岐通路５２ｂとを備えている。共通通路５１の上流端にはテスト圧源５３が接続されている。本実施形態のテスト圧は正圧である。共通通路５１には三方弁５４が設けられている。
【００２８】
分岐通路５２ａ，５２ｂには、開閉弁５５ａ，５５ｂがそれぞれ設けられている。
上記分岐通路５２ａ，５２ｂにおいて開閉弁５５ａ，５５ｂの下流側には差圧センサ５６（圧力センサ）の２つのポートがそれぞれ接続されており、これにより分岐通路５２ａ，５２ｂ間の差圧を検出することができる。
【００２９】
分岐通路５２ａの下流端にはワークカプセル５７ａが接続され、分岐通路２ｂの下流端にはマスタカプセル５７ｂが接続されている。ワークカプセル５７ａは、テスト対象となる規制治具２０付きプレフィルドシリンジ１０を収容した状態で、密封できるようになっている。マスタカプセル５７ｂは、ワークカプセル５７ａとほぼ同一容積を有する。
【００３０】
上記弁５４，５５ａ，５５ｂは図示しないコントローラでシーケンス制御される。また、コントローラは、ワークカプセル５７ａ，マスタカプセル５７ｂの開閉、差圧センサ５６での検出差圧に基づくテスト対象の良否判定（漏れの有無の判定）も行う。
【００３１】
気密性試験工程は次のようにして実行される。テスト対象となるプレフィルドシリンジ１０をワークカプセル５７ａ内に収容して、ワークカプセル５７ａとマスタカプセル５７ｂを密閉した後、三方弁５４をオンすることにより、テスト圧源５３からのテスト圧が、分岐通路５２ａ，５２ｂを介してワークカプセル５７ａとマスタカプセル５７ｂに供給される。次に、開閉弁５５ａ，５５ｂが閉じられ、その下流側の分岐通路５２ａ，５２ｂが互いに隔離される。
なお、正圧のテスト圧がワークカプセル５７ａに付与されても、上記規制治具２０によりプランジャ１２が外筒１１に押し込まれるのを禁じられ、上記所定位置を維持される。
【００３２】
開閉弁５５ａ，５５ｂが閉じてから所定時間経過後の差圧センサ５６の検出差圧を閾値と比較する。
プレフィルドシリンジ１０において薬液収容空間１６を囲む構成に微小の欠陥ある場合、例えば外筒１１とガスケット１３の接合不良、外筒１１のピンホール、外筒１１の針装着部１１ｂを封止する構造の封止不良等がある場合、ワークカプセル５７ａ内の加圧空気がプレフィルドシリンジ１０の薬液収容空間１６に入り込み（微小漏れが生じ）、ワークカプセル５７ａ内の圧力がテスト圧から徐々に低下する。本実施形態のプレフィルドシリンジ１０は自然状態では薬液収容空間１６に薬液が１００％満たされているが、前述した準備工程においてプランジャ１２を引くことにより薬液収容空間１６に負圧の非充填空間部１６ａが形成されているので、上記のような微小欠陥があれば、加圧空気は薬液収容空間１６に入り込むことができるのである。
【００３３】
プランジャ１２は規制治具２０により所定位置に維持されているので、ワークカプセル５７ａ内の実容積（ワークカプセル５７ａの体積からプレフィルドシリンジ１０の体積を除去した容積）に変化はなく、上記のように微小漏れが生じた時には、この微小漏れに対応したワークカプセル５７ａ内の圧力低下が確実に生じる。
【００３４】
他方、マスタ容器５７ｂではテスト圧が維持されている。その結果、ワークカプセル５７ａ内の圧力とマスタ容器５７ｂ内の圧力との間に差が生じる。この差圧（ワークカプセル５７ａの圧力変化）が差圧センサ５６で検出される。検出差圧が第１閾値より大きい場合には、微小漏れ有りと判断され、検出差圧が第１閾値より小さい場合には、プレフィルドシリンジ１０は微小漏れ無しの良品と判断される。
【００３５】
上記のように、薬液収容空間１６を囲む構成に微小の欠陥があるか否かを、1回の気密性試験で確認することができる。また、プランジャ１２が所定位置に維持され、漏れに対応したワークカプセル５７ａの圧力低下が生じるので、漏れ検査を高精度で行うことができる。
【００３６】
上記実施形態ではテスト圧を正圧にしたので、非充填空間１６ａの負圧との圧力差が大きく、漏れによる大きな圧力変化が生じさせることができ、より一層検査の精度を上げることができる。なお、原理的にはテスト圧は大気圧又は負圧（非充填空間１６ａと異なる負圧）でもよい。
【００３７】
上記実施形態では、薬液収容空間１６に薬液が１００％満たされたプレフィルドシリンジ１０をテスト対象としたが、図４（Ａ）に示すように、薬液収容空間１６に薬液が１００％満たされず、大気圧の非充填空間部１６ｂが残るプレフィルドシリンジ１０を、テスト対象とすることもできる。この場合、上記実施形態と同様にプランジャ１２を引くと、非充填空間部１６ｂの体積が増大して負圧になる。その後の規制治具２０の装着、気密性試験工程は上記実施形態と同様であるから説明を省略する。
【００３８】
図４（Ａ）に示すように、薬液収容空間１６に大気圧の非充填空間部１６ｂが残るプレフィルドシリンジ１０をテスト対象とする場合、図４（Ｂ）に示すようにプランジャ１２を押し込んでもよい（外筒１１に向かって移動させてもよい）。これにより非充填空間部１６ｂの体積が減少し正圧になる。この状態で、図４（Ｃ）に示すように、外筒１１の鍔部１１ａとプランジャ１２の押圧部１２ａとの間に規制治具３０を装着する。この規制治具３０は、プランジャ１２が、非充填空間１６ａの正圧により外筒１１から離れる方向に移動して元の位置に戻るのを禁じ、プランジャ１２を所定位置で維持する。規制治具３０は、規制治具２０と同様にプランジャ１２の側方から装着することができ、外筒１１の鍔部１１ａの一方の面（押圧部１２ａとは反対側の面）に係止される第１係止面３１と、プランジャ１２の押圧部１２ａの一方の面（鍔部１１ａとは反対側の面）に係止される第２係止面３２とを有している。
【００３９】
上記規制治具３０付きのプレフィルドシリンジ１０をテスト対象とする場合、気密性試験装置５０のテスト圧は負圧にするのが好ましい。非充填空間部１６ｂの正圧との圧力差が大きく、漏れによる大きな圧力変化が生じ、検出感度が高くなるからである。ただし、原理的にはテスト圧は大気圧又は正圧（非充填空間部１６ｂと異なる正圧）でもよい。
【００４０】
図４（Ａ）に示すように、薬液収容空間１６に大気圧の非充填空間部１６ｂが残るプレフィルドシリンジ１０をテスト対象とする場合、上述した実施形態のようにプランジャ１２を引いたり押したりせずに、自然状態に近い位置でプランジャ１２を外筒１１に対して固定してもよい。図５に示すように、この実施形態で使用される規制治具４０は、外筒１１の鍔部１１ａを把持する第１チャック部４１とプランジャ１２の押圧部１２ａを把持する第２チャック部４２を有する。これにより、プランジャ１２は軸方向のいずれの方向への移動も禁じられる。
【００４１】
上記規制治具４０付きプレフィルドシリンジ１０をテスト対象とする場合、図６に示す気密性試験装置５０Ａを用いることにより、大漏れ検出（大きな欠陥の検出）をも行うことができる。
【００４２】
図６の気密性試験装置５０Ａは、図３の気密性試験装置５０に、次の構成を追加したものである。上記分岐通路５２ａ，５２ｂにおいて開閉弁５５ａ，５５ｂの下流側には補助通路５２ａ’，５２ｂ’がそれぞれ接続されており、これら補助通路５２ａ’，５２ｂ’には、開閉弁５８ａ，５８ｂと、同容積のタンク５９ａ，５９ｂがそれぞれ接続されている。
【００４３】
微小漏れ検出工程は、前述した実施形態と同様にして実行される。テスト圧が正圧であれば、プレフィルドシリンジ１０に微小欠陥に起因してワークカプセル５７ａ内の加圧空気が大気圧の非充填空間部１６ｂに入り込み、微小漏れを検出できる。また、テスト圧が負圧であれば、プレフィルドシリンジ１０に微小欠陥に起因して大気圧の非充填空間部１６ｂの空気が負圧のワークカプセル５７ａ内に漏れ出て、微小漏れを検出できる。
【００４４】
上記微小漏れ工程の次に、大漏れ検出工程が実行される。テスト圧が正圧の場合について説明すると、プレフィルドシリンジ１０に大きな欠陥がある場合には、テスト圧供給と同時に、テスト圧の加圧空気が薬液収容空間１６内に入る（大漏れする）。
【００４５】
大漏れ検出工程では、開閉弁５８ａ，５８ｂが開き、タンク５９ａ，５９ｂをそれぞれ分岐通路５２ａ，分岐通路５２ｂと連通させる。タンク５９ａ，５９ｂは大気圧であるため、ワークカプセル５７ａ、マスタカプセル５７ｂ内のテスト圧がタンク５９ａ，５９ｂへと逃げて、分圧される。大漏れがあると薬液収容空間１６内の加圧空気の分だけワーク側通路２ａの圧力がマスタ側通路２ｂの圧力より高くなる。この差圧を差圧センサ５６で第２閾値と比較し、第２閾値を超えている場合にはプレフィルドシリンジ１０に大漏れ有りと判断する。
負圧の場合も同様であるので、説明を省略する。
【００４６】
本発明は、前記実施形態に限られず、その趣旨を逸脱しない範囲内で種々の改変をなすことができる。
【産業上の利用可能性】
【００４７】
本発明は、プレフィルドシリンジの気密性試験方法に適用できる。
【符号の説明】
【００４８】
１０  プレフィルドシリンジ
１１  外筒
１１ａ  筒部
１２  プランジャ
１２ａ  押圧部
１３  ガスケット
１６  薬液収容空間
１６ａ、１６ｂ  非充填空間部
１７  薬液
２０，２５，３０，４０  規制治具（移動規制手段）
２１，３１  第１係止面
２２，３２  第２係止面
５０，５０Ａ  気密性試験装置
５３  テスト圧源
５６  差圧センサ（圧力センサ）
５７ａ  ワークカプセル
【図１】
2020074834.tif 000003
【図２】
2020074834.tif 000004
【図３】
2020074834.tif 000005
【図４】
2020074834.tif 000006
【図５】
2020074834.tif 000007
【図６】
2020074834.tif 000008